(57)【要約】【課題】小型で安価な可視光通信用照明器具を提供する。【解決手段】照明器具１は、器具本体２０と、第１ケース５０と、第２ケース５１とを備える。器具本体２０には、可視光を照射して照明するＬＥＤを実装した基板１８が取り付けられている。第１ケース５０には、ＬＥＤを点灯させる点灯回路が収納されている。第２ケース５１は、第１ケース５０とは別体に構成されており、点灯回路の出力を通信信号に応じて変調させることによって、ＬＥＤの光出力に通信信号に応じた変調成分を重畳させる通信回路を収納する。【選択図】図１
2014093670.tif 000002
【特許請求の範囲】
【請求項１】
可視光を照射して照明する光源と、
前記光源を点灯させる点灯回路と、
前記点灯回路の出力を通信信号に応じて変調させることによって、前記光源の光出力に前記通信信号に応じた変調成分を重畳させる通信回路と、
少なくとも前記点灯回路を収納する第１ケースと、
前記第１ケースとは別体に構成され、前記通信回路を収納して、前記第１ケースに取り付けられる第２ケースと、を備えることを特徴とする可視光通信用照明器具。
【請求項２】
前記第２ケースは直方体状に形成され、
前記第２ケースの一面を前記第１ケースの表面に当接させた状態で、前記第２ケースの一側面に設けられた被取付片に重ねて結合される取付片が前記第１ケースに設けられ、
前記被取付片が前記取付片に結合されることによって、前記第２ケースにおいて前記一側面と反対側の端部を前記第１ケースに押し付ける弾性力が発生する方向に前記被取付片が撓められることを特徴とする請求項１記載の可視光通信用照明器具。
【請求項３】
前記取付片は、前記第２ケースの前記一側面に近付くほど、前記第１ケースの前記表面との距離が短くなるように傾斜することを特徴とする請求項２記載の可視光通信用照明器具。
【請求項４】
前記取付片は、前記第１ケースにおいて前記光源の中央付近から離れた位置に設けられ、前記第２ケースは、前記取付片に対して前記光源の中央付近と反対側に配置されることを特徴とする請求項１乃至３の何れか１項に記載の可視光通信用照明器具。
【請求項５】
前記被取付片及び前記取付片は、前記第２ケースの前記一側面の中央位置を通り且つ前記一側面と直交する平面に対して対称な位置でそれぞれ結合部材を用いて結合されたことを特徴とする請求項１乃至４の何れか１項に記載の可視光通信用照明器具。
【請求項６】
前記光源を保持し、天井材に設けられた取付孔に下側から挿入されることによって前記天井材に固定される器具本体を備え、
前記第１ケースは、前記器具本体の上部から側方に突出するように前記器具本体に取り付けられており、
前記第２ケースは、前記第１ケースの上側に取り付けられたことを特徴とする請求項１乃至５の何れか１項に記載の可視光通信用照明器具。
【請求項７】
前記第２ケースの外側を覆うようにして、前記第１ケースに取り付けられるカバーを備え、
前記第１ケースの表面に設けられた貫通孔に前記第１ケースの内側から通したネジを、前記カバーの内側に設けられたネジ部にねじ込むことによって、前記カバーが前記第１ケースに取り付けられることを特徴とする請求項１乃至６の何れか１項に記載の可視光通信用照明器具。
【発明の詳細な説明】
【技術分野】
【０００１】
本発明は、可視光通信用照明器具に関するものである。
【背景技術】
【０００２】
従来、可視光を用いてデータ伝送を行う照明器具として、発光ダイオードに流れる電流を制御することによって、通信信号による変調光を重畳させた光を発光ダイオードから放射させるようにした照明器具があった（例えば特許文献１参照）。
【先行技術文献】
【特許文献】
【０００３】
【特許文献１】特開２００８−２０６０８７号公報
【発明の概要】
【発明が解決しようとする課題】
【０００４】
上記特許文献１の照明器具は、一定電圧を出力する電源回路に加え、電源回路の出力をスイッチングすることによって、発光ダイオードに流れる電流を変調する回路が必要になっていた。そのため、可視光通信の機能を持たない照明器具に比べて、回路の規模が大きくなるから、回路を実装する基板が大型になり、装置の大型化を招いていた。また、従来ある多品種の照明器具の全てに可視光通信の機能を持たせようとすると、多品種の照明器具の電気回路を全て設計変更しなければならず、多額の投資が必要になるという問題もあった。
【０００５】
本発明は上記課題に鑑みて為されたものであり、その目的とするところは、小型で安価な可視光通信用照明器具を提供することにある。
【課題を解決するための手段】
【０００６】
本発明の可視光通信用照明器具は、光源と、点灯回路と、通信回路と、第１ケースと、第２ケースとを備えることを特徴とする。光源は可視光を照射して照明する。点灯回路は前記光源を点灯させる。通信回路は、前記点灯回路の出力を通信信号に応じて変調させることによって、前記光源の光出力に前記通信信号に応じた変調成分を重畳させる。第１ケースは、少なくとも前記点灯回路を収納する。第２ケースは、前記第１ケースとは別体に構成され、前記通信回路を収納して、前記第１ケースに取り付けられる。
【０００７】
この可視光通信用照明器具において、以下の構成をさらに備えることも好ましい。前記第２ケースは直方体状に形成され、前記第２ケースの一面を前記第１ケースの表面に当接させた状態で、前記第２ケースの一側面に設けられた被取付片に重ねて結合される取付片が前記第１ケースに設けられる。そして、前記被取付片が前記取付片に結合されることによって、前記第２ケースにおいて前記一側面と反対側の端部を前記第１ケースに押し付ける弾性力が発生する方向に前記被取付片が撓められる。
【０００８】
この可視光通信用照明器具において、前記取付片は、前記第２ケースの前記一側面に近付くほど、前記第１ケースの前記表面との距離が短くなるように傾斜することも好ましい。
【０００９】
この可視光通信用照明器具において、前記取付片は、前記第１ケースにおいて前記光源の中央付近から離れた位置に設けられ、前記第２ケースは、前記取付片に対して前記光源の中央付近と反対側に配置されることも好ましい。
【００１０】
この可視光通信用照明器具において、前記被取付片及び前記取付片は、前記第２ケースの前記一側面の中央位置を通り且つ前記一側面と直交する平面に対して対称な位置でそれぞれ結合部材を介して結合されることも好ましい。
【００１１】
この可視光通信用照明器具において、前記光源を保持し、天井材に設けられた取付孔に下側から挿入されることによって前記天井材に固定される器具本体を備えることも好ましい。前記第１ケースは、前記器具本体の上部から側方に突出するように前記器具本体に取り付けられており、前記第２ケースは、前記第１ケースの上側に取り付けられる。
【００１２】
この可視光通信用照明器具において、前記第２ケースの外側を覆うようにして、前記第１ケースに取り付けられるカバーを備えることも好ましい。前記第１ケースの表面に設けられた貫通孔に前記第１ケースの内側から通したネジを、前記カバーの内側に設けられたネジ部にねじ込むことによって、前記カバーは前記第１ケースに取り付けられる。
【発明の効果】
【００１３】
本発明によれば、点灯回路を収納する第１ケースとは別体に構成された第２ケースの内部に可視光通信のための通信回路が収納されているので、既に商品化されている照明器具の点灯回路に、通信回路を追加することで、可視光通信用照明器具を実現できる。よって、既に商品化されている多品種の照明器具に可視光通信機能を追加する場合に、点灯回路を含めた全体回路を新規に設計し直す必要はなく、点灯回路は既に商品化されたものを流用し、通信回路の部分を新規に設計することで対応できる。よって、多品種の照明器具に可視光通信機能を追加するために、多額の投資を必要とせず、安価な可視光通信用照明器具を提供できる。また、点灯回路と通信回路は別々のケース内に収納されており、したがって点灯回路と通信回路は別々の基板に実装されるから、点灯回路と通信回路が同じ基板に実装される場合に比べて、１枚１枚の基板の大きさを小さくできる。よって、点灯回路と通信回路を同じケースに収納する場合に比べて、第１ケース及び第２ケースを小型にできるという作用効果を奏します。また、通信回路を点灯回路とは別のケースに収納することによって、点灯回路が発するノイズ（例えばスイッチングによるノイズなど）の影響を通信回路が受けにくくなり、耐ノイズ性が向上する。
【図面の簡単な説明】
【００１４】
【図１】実施形態１の可視光通信用照明器具を示し、（ａ）は上面図、（ｂ）は一部破断した側面図である。
【図２】（ａ）（ｂ）は同上の可視光通信用照明器具の要部拡大図である。
【図３】同上の可視光通信用照明器具の施工方法を説明する説明図である。
【図４】同上の可視光通信用照明器具及び受信器のブロック図である。
【図５】実施形態２の可視光通信用照明器具を示し、（ａ）は一部破断した正面図、（ｂ）は左側面図、（ｃ）はＡ部拡大図である。
【図６】同上の可視光通信用照明器具の一部破断した右側面図である。
【図７】同上の可視光通信用照明器具のカバーを外した状態を示す要部の下面図である。
【発明を実施するための形態】
【００１５】
以下に本発明の実施の形態を図面に基づいて説明する。
【００１６】
（実施形態１）
本発明に係る可視光通信用照明器具を、天井に埋め込まれるスポットライトに適用した実施形態について図１〜図４を参照して説明する。
【００１７】
図４は可視光通信システムのシステム構成を示し、この可視光通信システムは、可視光通信用照明器具（以下、照明器具と略称する。）１と受信器２とで構成される。
【００１８】
照明器具１は、光源である発光ダイオード（以下、ＬＥＤと略称する。）１１と、点灯回路１２と、通信回路１４とを備える。
【００１９】
ＬＥＤ１１は、照明用の光源としての役割を果たし、例えば青色発光ダイオードと黄蛍光体とを組み合わせた高輝度白色ＬＥＤにより構成される。ＬＥＤ１１は、点灯回路１２から供給される電流により駆動されて、発光する。
【００２０】
点灯回路１２は、商用交流電源ＡＣを所定の電圧値の直流電圧に変換するＡＣ／ＤＣコンバータ１３を備える。ＡＣ／ＤＣコンバータ１３の出力端子間には、点灯回路１２の抵抗１５を介して複数のＬＥＤ１１が直列に接続されており、ＡＣ／ＤＣコンバータ１３から抵抗Ｒ１５を介してＬＥＤ１１に電流が供給されて、ＬＥＤ１１が点灯する。
【００２１】
通信回路１４は、ＬＥＤ１１に直列接続された抵抗１５と、抵抗１５の両端間に接続されたスイッチング素子１６（例えばＦＥＴからなる）と、変調回路１７とを備える。変調回路１７は、通信信号に応じてスイッチング素子１６のオン／オフを切り替えており、これによってＬＥＤ１１に流れる電流のピーク値が変化して、ＬＥＤ１１の発光強度が変化するので、ＬＥＤ１１からの照射光に変調成分が重畳される。尚、ＬＥＤ１１からの照射光に重畳される変調成分の周波数は、人間の目に光がちらついていると視認できない程度の高い周波数に設定されており、照明エリア内の人間に不快感を与えることなく可視光を用いた通信を行うことができる。
【００２２】
一方、受信器２は、ＬＥＤ１１の光を受光するフォトダイオード２ａと、信号処理部２ｂとを備える。信号処理部２ｂは例えばマイクロコンピュータからなり、フォトダイオード２ａの出力を解析することによって、ＬＥＤ１１からの照射光に重畳された変調成分を検出し、照明器具１から可視光により送信された通信信号を得る。
【００２３】
次に照明器具１の構造を図１〜図３に基づいて説明する。尚、以下の説明では、特に断りが無いかぎり、図１（ａ）の上下方向を左右方向、図１（ａ）の左右方向を前後方向、図１（ｂ）の上下方向を上下方向として説明を行う。
【００２４】
照明器具１は、図１及び図２に示すように、基台３０及び枠体４０からなる器具本体２０と、上述した点灯回路１２を収納する第１ケース５０と、上述の通信回路１４を収納する第２ケース５１とを備える。この照明器具１は、図１（ｂ）に示すように、天井材１００に開口する取付孔１０１に埋め込まれた状態で設置されて、下側を照明するダウンライトである。
【００２５】
基台３０は、絶縁性を有する硬質な樹脂材料により、天板３１及び周壁３２を有する円筒形状に形成されている。基台３０は直径に比べて高さ寸法が小さい、低背の円筒形状に形成されている。天板３１の下面には、周壁３２で囲まれた中央位置に、複数のＬＥＤ１１が実装された基板１８が配置されている。天板３１の上面には、複数の放熱フィン３３が、上方に向かって突出するように形成されている。放熱フィン３３は、天板３１のほぼ半分の半円領域に形成されている。天板３１の上面において、放熱フィン３３が形成されていない、残り半分の半円領域には後述する第１ケース５０の一部が載置されている。
【００２６】
枠体４０は、基台３０と同等の材料により、軸方向の両端が開口した円筒形状に形成されており、枠体４０の外径寸法は基台３０の外径寸法と略同じ寸法に形成されている。天板３１を上下方向に貫通する貫通孔（図示せず）に天板３１の上側から通したネジ（図示せず）が枠体４０にねじ込まれることによって、枠体４０は基台３０に一体的に取り付けられる。基台３０の内側には、ＬＥＤ１１からの照射光を反射する反射部材３４が配置されており、取付状態において反射部材３４の下側となる枠体４０の内周面には反射面４１が形成されている。
【００２７】
枠体４０の下端部からは径方向における外側向きに突出して、天井材１００に設けられた取付孔１０１の周部下面に当接するリング状の鍔部４２が、枠体４０と一体に設けられている。
【００２８】
枠体４０の外周面には、枠体４０の中心軸に対して対称な位置に金属製の取付バネ４３が１個ずつ取り付けられている。
【００２９】
器具本体２０は、取付バネ４３を上側に弾性変形させた状態で、基台３０側から取付孔１０１内に挿入される。器具本体２０が取付孔１０１内に挿入されると、取付バネ４３は弾性復元力によって水平方向に拡がる状態に戻り、天井材１００の上面に係止する。この時、天井材１００の下面に鍔部４２が当接するとともに、天井材１００の上面に係止バネ４３が係止することによって、器具本体２０が天井材１００に取り付けられる。
【００３０】
第１ケース５０は金属材料によって直方体状の箱型に形成されており、その内部には点灯回路１２の回路部品が実装された基板（図示せず）が収納されている。第１ケース５０の長手方向における一端部は、天板３１の上面において、放熱フィン３３が形成されていない半円領域に載置された状態で、例えばネジを用いて基台３０に固定されている。第１ケース５０の長手方向における他端部には端子台５６が取り付けられ、この端子台５６には商用交流電源ＡＣからの電源ケーブル（図示せず）が接続されて、商用交流電源ＡＣが点灯回路１２に供給される。
【００３１】
第２ケース５１は金属材料によって直方体状の箱型に形成されており、縦、横、高さの各寸法は第１ケース３３よりも小さい寸法に設定されている。第２ケース５１の長手方向における一端面には、第２ケース５１の底面（第１ケース５０の上面に載置される面）と平行な方向に突出する矩形板状の被取付片５３が、一体に設けられている。この第２ケース５１は、取付金具５２を用いて第１ケース５０の上面の所定位置に固定される。
【００３２】
取付金具５２は、例えば板金にプレス加工を施すことによって形成され、固定片５２ａと縦片５２ｂと取付片５２ｃとを一体に備えている。固定片５２ａは、前後方向の寸法に比べて左右方向の寸法が長い矩形板状に形成され、第１ケース５０の上面に載置された状態で、長手方向（左右方向）に沿う一辺の両端付近でネジ５４を用いて第１ケース５０にネジ止めされる。縦片５２ｂは矩形板状であって、固定片５２ａの長手方向に沿う他の一辺（ネジ固定される側と反対側の一辺）から上方に突出する。取付片５２ｃは矩形板状に形成され、縦片５２ｂの上端から、固定片５２ａと反対側で且つ水平方向よりもやや斜め下向きに突出する。尚、取付金具５２の取付片５２ｃに比べて被取付片５３は板厚が薄く形成されているので、被取付片５３は取付片５２ｃよりも撓みやすくなっている。
【００３３】
第２ケース５１を第１ケース５０の上面に取り付ける場合、先ず取付金具５２を第１ケース５０の上面に取り付けておく。そして、第１ケース５０の上面に第２ケース５１を載置し、取付片５２ｃの上側に被取付片５３が重なるように、第２ケース５１を配置する。その後、被取付片５３に設けた貫通孔（図示せず）にネジ５５が挿通され、取付片５２ｃのネジ孔（図示せず）にネジ５５がねじ込まれることによって、第２ケース５１が、第１ケース５０に固定された取付金具５２に取り付けられる。ここで、図２（ａ）（ｂ）に示すように、取付片５２ｃは、縦片５２ｂの上端部から先端側に向かって斜め下向きに傾斜しているので、ネジ５５が取付片５２ｃにねじ込まれることによって、被取付片５３の中間部は下向きに凸となるように撓められた状態となる。その結果、被取付片５３に発生する弾性力によって、第２ケース５１の長手方向における他端側（被取付片５３が設けられた側と反対側）が第１ケース５０側に押し付けられた状態となる。よって、第２ケース５１は、長手方向における一端側のみで第１ケース５０に取り付けられているが、被取付片５３に発生する弾性力により、第２ケース５ｌの長手方向における他端側が第１ケース５０に押し付けられるから、第２ケース５１は第１ケース５０に対してがたづきなく取り付けられる。
【００３４】
尚、器具本体２０に保持された基板１８（ＬＥＤ１１）及び第１ケース５０に収納された点灯回路１２と、第２ケース５１に収納された通信回路１５の間はケーブル５７を介して電気的に接続されている。
【００３５】
以上説明したように、本実施形態の可視光通信用照明器具１は、光源であるＬＥＤ１１と、点灯回路１２と、通信回路１４と、第１ケース５０と、第２ケース５１とを備える。ＬＥＤ１１は可視光を照射して照明する。点灯回路１２はＬＥＤ１１を点灯させる。通信回路１４は、点灯回路１２の出力を通信信号に応じて変調させることによって、ＬＥＤ１１の光出力に通信信号に応じた変調成分を重畳させる。第１ケース５０は、少なくとも点灯回路１２を収納する。第２ケース５１は、第１ケース５０とは別体に構成され、通信回路１４を収納して、第１ケース５０に取り付けられる。
【００３６】
このように、点灯回路１２を収納する第１ケース５０とは別体に構成された第２ケース５１の内部に可視光通信のための通信回路１４が収納されているので、既に商品化されている点灯回路１２に通信回路１４を追加することで、可視光通信用照明器具を実現できる。よって、既に商品化されている多品種の照明器具に可視光通信機能を追加する場合に、点灯回路１２を含めた全体回路を新規に設計し直す必要はなく、点灯回路１２は既に商品化されたものを流用し、通信回路１４の部分を新規に設計することで対応できる。したがって、可視光通信機能を付加した照明器具を製造するための追加投資が少なくて済み、安価な可視光通信用照明器具を実現できる。また、点灯回路１２と通信回路１４は別々のケース内に収納されており、したがって点灯回路１２と通信回路１４は別々の基板に実装されるから、点灯回路１２と通信回路１４が同じ基板に実装される場合に比べて、１枚１枚の基板の大きさを小さくできる。よって、点灯回路１２と通信回路１４を同じケースに収納する場合に比べて、第１ケース５０及び第２ケース５１を小型にできるという効果もある。また、点灯回路１２がスイッチング電源からなる場合、通信回路１４を点灯回路１２とは別のケースに収納することによって、点灯回路１２が発するノイズ（例えばスイッチングによるノイズなど）の影響を通信回路１４が受けにくくなり、耐ノイズ性が向上する。
【００３７】
また、第２ケース５１は直方体状に形成され、第２ケース５１の一面を第１ケース５０の表面に当接させた状態で、第２ケース５１の一側面に設けられた被取付片５３に重ねて結合される取付片（取付金具５２の取付片５２ｃ）が第１ケース５０に設けられている。そして、被取付片５３が取付片５２ｃに結合されることによって、第２ケース５１において一側面と反対側の端部を第１ケース５０に押し付ける弾性力が発生する方向に被取付片５３が撓められる。
【００３８】
これにより、第２ケース５１が被取付片５３のみで第１ケース５０に取り付けられた場合でも、被取付片５３に発生する弾性力によって、第２ケース５１において一側面と反対側の端部が第１ケース５０に押し付けられる。したがって、第２ケース５１における一側面と反対側の端部、すなわち第１ケース５０に固定されていない側の端部が浮き上がりにくくなり、第２ケース５１をがたつきなく第１ケース５０に取り付けることができる。そして、第２ケース５１は一端側に設けた被取付片５３のみで第１ケース５０に取り付けられるから、取付作業が簡単になり、また被取付片５３は片側のみに設けられていればよいから、コストダウンを図ることができる。
【００３９】
また本実施形態では、取付片５２ｃは、第２ケース５１の一側面（被取付片５３が設けられた側面）に近付くほど、第１ケース５０の一面（第２ケース５１が載置される面）との距離が短くなるように傾斜している。
【００４０】
これにより、被取付片５３を取付片５２ｃに結合すると、被取付片５３が取付片５２ｃ側に撓められるから、被取付片５３に発生する弾性力によって、第２ケース５１において一側面と反対側の端部が第１ケース５０に押し付けられる。したがって、第２ケース５１における一側面と反対側の端部、すなわち第１ケース５０に固定されていない側の端部が浮き上がりにくくなり、第２ケース５１を第１ケース５０に対してがたつきなく取り付けることができる。尚、本実施形態では水平面（第１ケース５０の表面と平行な面）に対する取付片５２ｃの傾斜角θを約５°に設定しているが、その傾斜角θは適宜変更が可能である。また本実施形態では、取付片５２ｃを縦片５２ｂの上端部から斜め下向きに傾斜させているが、取付片５２ｃを第１ケース５０の表面に対して略平行とし、被取付片５３を先端に行くほど斜め下向き（第１ケース５０の表面に近付く向き）に傾斜させてもよい。この場合にも、被取付片５３をネジ５５で取付片５２ｃに結合することによって、被取付片５３が下向きに凸となるように撓められ、被取付片５３に発生する弾性力によって、第２ケース５１の長手方向における他端側が第１ケース５０の表面に押し付けられることになる。
【００４１】
また本実施形態では、第１ケース５０において、取付片５２ｃは光源の中央付近から離れた位置、すなわち上側から見て器具本体２０の中心付近から離れた位置に設けられている。そして、第２ケース５１は、取付片５２ｃに対して、光源の中央付近（上側から見た状態において器具本体２０の中心付近）と反対側に配置されているから、通信回路１４を構成する回路部品が光源の発熱による影響を受けにくくなる。
【００４２】
また本実施形態では、被取付片５３及び取付片５２ｃは、第２ケース５１の一側面の中央位置（左右方向における中央位置）を通り、一側面と直交する平面Ｐ１（図１（ａ）参照）に対して対称な位置でそれぞれ結合部材（ネジ５５）を介して結合されている。被取付片５３及び取付片５２ｃが１点で結合されている場合、第２ケース５１が結合箇所を中心に回転する可能性があるが、上述のように被取付片５３及び取付片５２ｃは、上記の平面Ｐ１に対して対称な位置で結合されている。したがって、第２ケース５１が回転しにくくなり、第２ケース５１における一側面と反対側の端部の位置が左右方向においてずれにくくなる。
【００４３】
また本実施形態では、図３に示すように、器具本体２０は、天井材１００に設けられた取付孔１０１に下側から挿入されることによって天井材１００に固定される。そして、第１ケース５０は、器具本体２０の上部から側方に突出するようにして器具本体２０に取り付けられており、第２ケース５１は、第１ケース５０の上側に取り付けられている。第２ケース５１が第１ケース５０の下面に取り付けられていると、天井材１００の厚みが厚い場合には、第２ケース５１が天井材１００と干渉する可能性があった。また、第２ケース５１が第１ケース５０の下側に取り付けられた場合、第２ケース５１の下面と鍔部４２との間の隙間は、第１ケース５０の下面と鍔部４２との間の隙間に比べて狭くなる。そのため、取付孔１０１に第１ケース５０及び第２ケース５１を挿入する際に、取付孔１０１の周縁部に第２ケース５１が引っ掛かりやすくなり、取付作業がやりにくくなるという問題もある。それに対して、本実施形態では、第２ケース５１が第１ケース５０の上側に取り付けられているから、天井材１００と干渉しにくくなり、また取付作業性が向上するという効果がある。
【００４４】
（実施形態２）
本発明に係る可視光通信用照明器具を、天井に設置された配線ダクトに取り付けられるスポットライトに適用した実施形態について図５〜図７を参照して説明する。尚、以下の説明では、特に断りが無いかぎり、図５（ｂ）に示す向きにおいて上下左右の方向を規定し、図５（ａ）における左右方向を前後方向として説明を行う。
【００４５】
本実施形態の可視光通信用照明器具（以下、照明器具と略称する。）１も、実施形態１と同様、図４の可視光通信システムに用いられるものであり、照明器具１の回路構成は実施形態１と同様であるから、その説明は省略する。
【００４６】
先ず、照明器具１が取り付けられる配線ダクト２００について説明する。配線ダクト２００は、図５（ａ）（ｂ）に示すように、金属材料により、幅寸法に比べて高さ寸法が小さい長尺の四角筒状に形成されており、天井材１００に設置された状態で下側となる面には、長手方向に沿って開口２０１が設けられている。配線ダクト２００の内部には、開口２０１を挟んで左右両側に溝部２０２が下側寄りに設けられている。また、配線ダクト２００の内部には、開口２０１を挟んで左右両側に、商用交流電源ＡＣに接続された導電バー２０３が配置されている。
【００４７】
次に照明器具１について説明する。照明器具１は、配線ダクト２００に取り付けられる第１ケース６０と、第２ケース５１と、第１ケース６０にアーム７１を介して吊り下げられる灯体ブロック７０と、カバー８０とを備える。
【００４８】
第１ケース６０は例えば合成樹脂により直方体状に形成されており、第１ケース６０の内部には実施形態１で説明した点灯回路１２が収納されている。また第１ケース６０の上面には、長手方向における一端部にプラグ部６１が設けられ、長手方向における他端側に固定部６２が設けられている。
【００４９】
プラグ部６１は、合成樹脂により丸棒状に形成された回転軸６１ａを備える。回転軸６１ａは、第１ケース６０の上面から上側に向かって突出する。回転軸６１ａの周面において、溝部２０２に対応する高さ位置であって、回転軸６１ａの中心軸に対して対称な位置からは、溝部２０２に嵌合する矩形板状の嵌合片６１ｂが、それぞれ径方向に向かって突出する。また回転軸６１ａの周面において、導電バー２０３に対応する高さ位置であって、上側から見て各嵌合片６１ｂとそれぞれ重なる位置からは、導電バー２０３に接触する端子片６１ｃが、それぞれ径方向に向かって突出している。回転軸６１ａはレバー６３の操作によって回転させられ、嵌合片６１ｂ及び端子片６１ｃが開口２０１の長手方向と平行する位置と、嵌合片６１ｂ及び端子片６１ｃが開口２０１の長手方向と直交する位置との間で回転自在となっている。
【００５０】
固定部６２は、合成樹脂により丸棒状に形成された回転軸６２ａを備える。回転軸６２ａの周面において、溝部２０２に対応する高さ位置であって、回転軸６２ａの中心軸に対して対称な位置からは、溝部２０２に嵌合する矩形板状の嵌合片６２ｂが、それぞれ径方向に向かって突出する。ここで、嵌合片６２ｂは嵌合片６１ｂと平行するように設けられ、嵌合片６２ｂが開口２０１の長手方向と平行する位置と、嵌合片６２ｂが開口２０１の長手方向と直交する位置との間で、回転軸６２ａは回転自在となっている。
【００５１】
第１ケース６０の下面には、長手方向においてプラグ部６１が設けられた側と反対側の端部に、アーム７１が設けられている。アーム７１は逆Ｕ字形に形成され、第１ケース６０に対して水平面内で回転自在に取り付けられている。
【００５２】
アーム７１の下端部には、ＬＥＤ１１を保持する灯体ブロック７０が、アーム７１の下端部に設けられた軸部７１ａを中心として回転自在に取り付けられている。灯体ブロック７０に保持されたＬＥＤ１１と、第１ケース６０内に収納された点灯回路１２の間は、ケーブル７２を介して電気的に接続されており、点灯回路１２からＬＥＤ１１に電流が供給されてＬＥＤ１１が点灯するようになっている。
【００５３】
第２ケース５１は金属材料により直方体状に形成されており、縦、横、高さの各寸法は第１ケース６０よりも小さい寸法に設定されている。第２ケース５１の長手方向における一端面には、第２ケース５１の上面（第１ケース６０の下面に当接する面）と平行な方向に突出する被取付片５３が、一体に設けられている。そして、第２ケース５１は、後述する取付金具６４を用いて、第１ケース６０の下面の所定位置に固定される。
【００５４】
取付金具６４は、例えば板金にプレス加工を施すことによって形成され、固定片６４ａと縦片６４ｂと取付片６４ｃとを一体に備えている。固定片６４ａは、矩形板状に形成され、長手方向が第１ケース６０の幅方向と平行するように、溶接或いはネジ止めなどの適宜の方法で第１ケース６０に固定されている。縦片６４ｂは矩形板状であって、固定片６４ａの長手方向に沿う一辺（第２ケース５１と反対側の辺）から下側に突出する。取付片６４ｃは、縦片６４ｂの下端から、第２ケース５１側に向かって、水平方向よりもやや斜め下向きに突出する。尚、取付金具６４の取付片６４ｃに比べて被取付片５３は板厚が薄く形成されているので、被取付片５３は取付片６４ｃよりも撓みやすくなっている。
【００５５】
カバー８０は上面が開口した箱状に形成されている。カバー８０の縦、横、高さの各寸法は第２ケース５１よりも大きい寸法に形成されており、カバー８０は第２ケース５１を覆うようにして第１ケース６０の下面に取り付けられている。前後方向において対向するカバー８０の側壁の上端部からは内側に向かって突出する突片８１が設けられている。第１ケース６０には下壁を上下方向に貫通する貫通孔６０ａが設けられ、第１ケース６０の内側から貫通孔６０ａに通されたネジ８３を、突片８１に形成されたネジ部８２にねじ込むことによって、カバー８０が第１ケース６０に取り付けられている。したがって、第２ケース５１やネジ８３や後述のケーブル５７がカバー８０で覆われるから、外観の見栄えを良くできる。
【００５６】
第２ケース５１を第１ケース６０の下面に取り付ける場合、第１ケース５０の表面（配線ダクト２００に取り付けた状態で下面となる面）に第２ケース５１を載置し、取付片６４ｃの上側に被取付片５３が重なるように、第２ケース５１を配置する。その後、被取付片５３に形成された貫通孔（図示せず）にネジ５５を挿通し、取付片６４ｃに設けられたネジ孔（図示せず）にネジ５５をねじ込むことによって、第２ケース５１が、第１ケース６０に固定された取付金具６４に取り付けられる。点灯ブロック７０に保持されたＬＥＤ１１及び第１ケース６０に収納された点灯回路１２と、第２ケース５１に収納された通信回路１５の間はケーブル５７を介して電気的に接続されている。このケーブル５７は第１ケース６０の表面の孔６５を通して第１ケース６０内に導入されている。そして、第２ケース５１を覆うようにカバー８０が被せられ、第１ケース６０の内側から、第１ケース６０の貫通孔６０ａに通されたネジ８３を突片８１のネジ部８２にねじ込むことによって、カバー８０が第１ケース６０に取り付けられる。
【００５７】
ここで、図５（ｃ）に示すように、取付片６４ｃは、縦片６４ｂの下端部から先端側に向かって斜め上向きに傾斜しているので、ネジ５５をねじ込むにつれて、被取付片５３の中間部が上向きに凸となるように撓められた状態となる。その結果、被取付片５３に発生する弾性力によって、第２ケース５１の長手方向における他端側（被取付片５３が設けられた側と反対側）が第１ケース６０側に押し付けられた状態となる。第２ケース５１は、長手方向における一端側のみで第１ケース６０に取り付けられているが、被取付片５３に発生する弾性力によって、第２ケース５ｌの長手方向における他端側が第１ケース６０に押し付けられる。したがって、第２ケース５ｌの長手方向における他端側が第１ケース６０の表面から浮き上がりにくくなり、第２ケース５１が第１ケース６０に対してがたつきなく取り付けられるのである。
【００５８】
以上説明したように、本実施形態の可視光通信用照明器具１は、光源であるＬＥＤ１１と、点灯回路１２と、通信回路１４と、第１ケース６０と、第２ケース５１とを備える。ＬＥＤ１１は可視光を照射して照明する。点灯回路１２はＬＥＤ１１を点灯させる。通信回路１４は、点灯回路１２の出力を通信信号に応じて変調させることによって、ＬＥＤ１１の光出力に通信信号に応じた変調成分を重畳させる。第１ケース５０は、少なくとも点灯回路１２を収納する。第２ケース５１は、第１ケース５０とは別体に構成され、通信回路１４を収納して、第１ケース６０に取り付けられる。
【００５９】
このように、点灯回路１２を収納する第１ケース６０とは別体に構成された第２ケース５１の内部に可視光通信のための通信回路１４が収納されているので、既に商品化されている点灯回路１２に通信回路１４を追加することで、可視光通信用照明器具を実現できる。よって、既に商品化されている多品種の照明器具に可視光通信機能を追加する場合に、点灯回路１２を含めた全体回路を新規に設計し直す必要はなく、点灯回路１２は既に商品化されたものを流用し、通信回路１４の部分を新規に設計することで対応できる。したがって、可視光通信機能を付加した照明器具を製造するための追加投資が少なくて済み、安価な可視光通信用照明器具を実現できる。また、点灯回路１２と通信回路１４は別々のケース内に収納されており、したがって点灯回路１２と通信回路１４は別々の基板に実装されるから、点灯回路１２と通信回路１４が同じ基板に実装される場合に比べて、１枚１枚の基板の大きさを小さくできる。よって、点灯回路１２と通信回路１４を同じケースに収納する場合に比べて、第１ケース６０及び第２ケース５１を小型にできるという効果もある。また、点灯回路１２がスイッチング電源からなる場合、通信回路１４を点灯回路１２とは別のケースに収納することによって、点灯回路１２が発するノイズ（例えばスイッチングによるノイズなど）の影響を通信回路１４が受けにくくなり、耐ノイズ性が向上する。
【００６０】
また、第２ケース５１は直方体状に形成され、第２ケース５１の一面を第１ケース６０の表面に当接させた状態で、第２ケース５１の一側面に設けられた被取付片５３に重ねて結合される取付片（取付金具６４の取付片６４ｃ）が第１ケース６０に設けられている。そして、被取付片５３が取付片６４ｃに結合されることによって、第２ケース５１において一側面と反対側の端部を第１ケース６０に押し付ける弾性力が発生する方向に被取付片５３が撓められる。
【００６１】
これにより、第２ケース５１が被取付片５３のみで第１ケース６０に取り付けられた場合でも、被取付片５３に発生する弾性力によって、第２ケース５１において一側面と反対側の端部が第１ケース６０に押し付けられる。したがって、第２ケース５１における一側面と反対側の端部、すなわち第１ケース６０に固定されていない側の端部が浮き上がりにくくなり、第２ケース５１をがたつきなく第１ケース６０に取り付けることができる。そして、第２ケース５１は一端側に設けた被取付片５３のみで第１ケース６０に取り付けられるから、取付作業が簡単になり、また被取付片５３は片側のみに設けられていればよいから、コストダウンを図ることができる。
【００６２】
また本実施形態では、取付片６４ｃは、第２ケース５１の一側面（被取付片５３が設けられた側面）に近付くほど、第１ケース６０の一面（第２ケース５１が載置される平面であって、施工状態における下面）との距離が短くなるように傾斜している。
【００６３】
これにより、被取付片５３を取付片６４ｃに結合すると、被取付片５３が取付片６４ｃ側に撓められるから、被取付片５３に発生する弾性力によって、第２ケース５１において一側面と反対側の端部が第１ケース６０に押し付けられる。したがって、第２ケース５１における一側面と反対側の端部、すなわち第１ケース６０に固定されていない側の端部が浮き上がりにくくなり、第２ケース５１をがたつきなく第１ケース６０に取り付けることができる。尚、本実施形態では水平面（第１ケース６０の表面と平行な面）に対する取付片６４ｃの傾斜角θを約５°に設定しているが、その傾斜角θは適宜変更が可能である。また本実施形態では、取付片６４ｃを縦片６４ｂの下端部から斜め上向きに傾斜させているが、取付片６４ｃを第１ケース６０の表面に対して略平行とし、被取付片５３を先端に行くほど斜め上向き（第１ケース６０の表面に近付く向き）に傾斜させてもよい。この場合にも、被取付片５３をネジ５５で取付片６４ｃに結合することによって、被取付片５３が上向きに凸となるように撓められ、被取付片５３に発生する弾性力によって、第２ケース５１の長手方向における他端側が第１ケース６０の表面に押し付けられることになる。
【００６４】
また本実施形態では、第１ケース６０において、取付片６４ｃは光源の中央付近から離れた位置、すなわち下側から見て灯体ブロック７０の中心付近から離れた位置に設けられている。そして、第２ケース５１は、取付片６４ｃに対して、光源の中央付近（下側から見た状態において灯体ブロック７０の中心付近）と反対側に配置されているから、通信回路１４を構成する回路部品が光源の発熱による影響を受けにくくなる。
【００６５】
また本実施形態では、被取付片５３及び取付片５２ｃは、第２ケース５１の一側面の中央位置（左右方向における中央位置）を通り、一側面と直交する平面Ｐ２（図７参照）に対して対称な位置でそれぞれ結合部材（ネジ５５）を介して結合されている。被取付片５３及び取付片５２ｃが１点で結合されている場合、第２ケース５１が結合箇所を中心に回転する可能性があるが、上述のように被取付片５３及び取付片５２ｃは、上記の平面Ｐ２に対して対称な位置で結合されている。したがって、第２ケース５１が回転しにくくなり、第２ケース５１における一側面と反対側の端部の位置が左右方向においてずれにくくなる。
【００６６】
また本実施形態の照明器具１は、第２ケース５１の外側を覆うようにして、第１ケース６０に取り付けられるカバー８０を備えている。そして、第１ケース６０の表面に設けられた貫通孔６０ａに第１ケース６０の内側から通したネジ８３を、カバー８０の内側に設けられたネジ部８２にねじ込むことによって、カバー８０が第１ケース６０に取り付けられる。これにより、カバー８０で第２ケース５１が覆われるから、外観の意匠性が向上する。また、カバー８０を第１ケース６０に取り付けるためのネジ８３もカバー８０で覆われているから、外観の意匠性がさらに向上し、配線ダクト２００に取り付けられるスポットライトのように室内に露出して設置される照明器具の場合は特に有効である。
【符号の説明】
【００６７】
１  照明器具（可視光通信用照明器具）
１１  ＬＥＤ（光源）
１２  点灯回路
１４  通信回路
１８  基板
２０  器具本体
３０  基台
４０  枠体
５０  第１ケース
５１  第２ケース
【図１】
2014093670.tif 000003
【図２】
2014093670.tif 000004
【図３】
2014093670.tif 000005
【図４】
2014093670.tif 000006
【図５】
2014093670.tif 000007
【図６】
2014093670.tif 000008
【図７】
2014093670.tif 000009